(57)【要約】  【課題】  冷却ファンの筐体本体への組立及びその分解に時間がかかることがなく、電子機器の廃棄時における分別の容易化に寄与する。  【解決手段】  冷却ファン固定部材１３は、一対の幅側部位１３ａ、１３ｂと一対の高さ側部位１３ｃ、１３ｄとで構成してあり、一対の幅側部位１３ａ、１３ｂを、それぞれく字形状に屈曲して、これらの屈曲部を当接部１４にし、高さ側部位１３ｃに取付部９を設けると共に、高さ側部位１３ｄに係止用突起部１９を設けて、係止用突起部１９を係止部１１に係止すると共に、取付部１７を覆い部９に取付けることで、当接部１４を冷却ファン５の端面部５ａに押し当てて一対の幅側部位１３ａ、１３ｂのばね力で冷却ファン５を冷却ファン収容部７内で押え込み固定し、位置決め突起部１６を冷却ファン５の両側面に係合して冷却ファン５の幅方向の位置決めを行う。【選択図】  図３
2005217343.tif 000002
【特許請求の範囲】
【請求項１】
プリント基板を収容保持した筐体本体に、前記プリント基板の発熱を冷却するための冷却ファンを冷却ファン固定部材により固定する電子機器の冷却ファン固定構造であって、
前記筐体本体に、この筐体本体の面部を、その構成部位の少なくとも一部とする冷却ファン収容部を設けると共に、前記冷却ファン固定部材に、その弾性を利用して前記冷却ファンを前記冷却ファン収容部内で押え込んで保持固定する弾性保持固定手段と、前記冷却ファンを位置決めする位置決め手段とを持たせたことを特徴とする電子機器の冷却ファン固定構造。
【請求項２】
前記筐体本体は、一方のケースと、この一方のケースを覆う他方のケースとで構成してあり、
前記冷却ファン収容部は、前記一方もしくは他方のケースのいずれかの主面部と、この主面部の周部の周面部と、この周面部の辺縁部に連なり且つ前記主面部に対向する覆い部と、前記主面部に設けられた係止部とで構成してあり、
前記冷却ファン固定部材は、前記冷却ファンの端面部に対応する端面対向部を有しており、
前記弾性保持固定手段は、前記端面対向部を前記冷却ファンの高さ方向にく字形状に屈曲して、これらの屈曲部を前記端面部に当接する当接部にし、前記端面対向部の前記冷却ファンの高さ方向の一端部に前記覆い部に取付けられる取付部を設けると共に、他端部に前記係止部に係脱可能に係止される係止用突起部を設けて構成してあって、
前記係止用突起部を前記係止部に係止すると共に、前記取付部を前記覆い部に取付けることで、前記当接部を前記端面部に押し当てて前記端面対向部のばね力で前記冷却ファンを前記冷却ファン収容部内で押え込み固定するようにしたことを特徴とする請求項１に記載の電子機器の冷却ファン固定構造。
【請求項３】
前記端面対向部は枠形状であって、この端面対向部は、前記冷却ファンの幅方向で互いに対向する一対の幅側部位と前記端面対向部の前記冷却ファンの高さ方向で互いに対向する一対の高さ側部位とで構成してあり、前記一対の幅側部位を、それぞれく字形状に屈曲して、これらの屈曲部を前記当接部にし、前記一対の高さ側部位のうちの一方に前記取付部を設けると共に、他方に前記係止用突起部を設けるようにしたことを特徴とする請求項２に記載の電子機器の冷却ファン固定構造。
【請求項４】
前記位置決め手段は、前記一対の幅側部位に設けられた位置決め突起部であり、前記位置決め突起部を前記冷却ファンの両側面に当接して前記冷却ファンの幅方向の位置決めを行うようにしたことを特徴とする請求項３に記載の電子機器の冷却ファン固定構造。
【請求項５】
前記筐体本体は、一方のケースと、この一方のケースを覆う他方のケースとで構成してあり、
前記冷却ファン収容部は、前記一方もしくは他方のケースのいずれかの主面部と、前記ケースの角部を形成する一方及び他方の周面部とを有していて、前記一方の周面部に一方の係止部を、前記他方の周面部に他方の係止部をそれぞれ設けて構成してあり、
前記冷却ファン取付部材は、前記冷却ファンの端面部に対応する端面対向部と、この端面対向部の一端側に連なり且つ前記冷却ファンの側面部に対応する側面対向部とで構成してあり、
前記弾性保持固定手段は、前記端面対向部を前記冷却ファンの幅方向にく字形状に屈曲して、この屈曲部を前記端面部に当接する当接部にし、前記端面対向部の前記冷却ファンの幅方向における外縁部に前記一方の係止部の係脱可能に係止する一方の係止用突起部を形成し、前記側面対向部の外縁部に前記他方の係止部の係脱可能に係止する他方の係止突起部を形成して構成してあって、
前記一方の係止突起部を前記一方の係止部に係止し、前記他方の係止突起部を前記他方の係止部に係止した状態で、前記当接部を前記端面部に押し当てて前記端面対向部のばね力で前記冷却ファンを前記冷却ファン収容部内で押え込み固定するようにしたことを特徴とする請求項１に記載の電子機器の冷却ファン固定構造。
【請求項６】
前記端面対向部は枠形状であって、この端面対向部は前記冷却ファンの幅方向で互いに対向する一対の幅側部位と前記冷却ファンの高さ方向で互いに対向する一対の高さ側部位とで構成してあり、前記一対の高さ側部位をそれぞれく字形状に屈曲して、これらの屈曲部を前記当接部にしたことを特徴とする請求項５に記載の電子機器の冷却ファン固定構造。
【請求項７】
前記位置決め手段は、前記端面対向部の前記冷却ファンの幅方向における外縁部に設けられた位置決め突起部と前記側面対向部とで構成してあり、前記位置決め突起部と前記側面対向部とで前記冷却ファンを幅方向で挟んで前記冷却ファンの幅方向の位置決めを行うようにしたことを特徴とする請求項６に記載の電子機器の冷却ファン固定構造。
【発明の詳細な説明】
【技術分野】
【０００１】
本発明は、ＶＯＩＰのゲートウェイ等のボイスオーバーインターネット・プロトコル等の実施を行う電子機器の冷却ファン固定構造に関する。
【背景技術】
【０００２】
従来の冷却ファン固定構造を備えた電子機器は、図７及び図８に示すように、筐体本体６１を備えており、この筐体本体６１は、上部ケース６２と、下部ケース６３とにより構成してあり、筐体本体６１の内部にはプリント基板６４と冷却ファン６５とが収容固定してある。
【０００３】
上ケース６２においては、図８において左面部６２ａに一対の引掛け部６６が、右面部６２ｂに上ケース取付用孔６７がそれぞれ設けてある。
【０００４】
また、下部ケース６３においては、図８において左面部６３ａに一対の引掛け用孔部７８が、右面部６３ｂに下ケース取付用孔７９がそれぞれ設けてある。また、図８及び図９において下部ケース６３の後面部６３ｄと右側部６３ｂとが成す角部に冷却ファン収容部８０が設けてある。そして、後面部６３ｄには排気窓６８が形成してあり、後面部６３ｄには、排気窓６８の両側方に位置する冷却ファン取付部材固定用ボルト６９と、排気窓６８の四隅側に位置する４本の冷却ファン固定用ボルト７０とがそれぞれ取付けてある。
【０００５】
また、冷却ファン取付部材７１はプレート状の部材本体７１Ａを備えており、この部材本体７１Ａの中央部には円形孔７２が設けてあり、また、部材本体７１Ａの両側には、挿入孔部７３ａを有する取付部７３が設けてあり、また、部材本体７１Ａの四隅側には挿入孔部７４が設けてある。また、冷却ファン６５には、その四隅側に位置させてボルト挿通孔部７５が設けてある。
【０００６】
そして、冷却ファン取付部材７１は、挿入孔部７４に冷却ファン固定用ボルト７０を挿通させ、また、その取付部７３の挿入孔部７３ａに冷却ファン取付部材固定用ボルト６９を挿通させ、冷却ファン取付部材固定用ボルト６９に固定用ナット７６を螺合して冷却ファン収容部８０に取付けてあり、また、冷却ファン６５は、そのボルト挿通孔部７５に冷却ファン固定用ボルト７０を挿通させ、この冷却ファン固定用ボルト７０に固定用ナット７７を螺合して冷却ファン収容部８０に収容固定してある。
【０００７】
そして、下部ケース６３内にプリント基板６４を固着して、上ケース６２の引掛け部６６を下部ケース６３の引掛け用孔部７８に引っ掛けて上ケース取付用孔６７を下ケース取付用孔７９に合致させて、固定用ねじ部材８１を上ケース取付用孔６７に挿通して下ケース取付用孔７９に螺合することで筐体本体６１が組み立ててある（特許文献１参照）。
【特許文献１】特開２００２−１７１０７９号公報
【発明の開示】
【発明が解決しようとする課題】
【０００８】
しかしながら、上記したように、冷却ファン取付部材７１は、挿入孔部７４に冷却ファン固定用ボルト７０を挿通させ、また、その取付部７３の挿入孔部７３ａに冷却ファン取付部材固定用ボルト６９を挿通させ、冷却ファン取付部材固定用ボルト６９に固定用ナット７６を螺合して冷却ファン収容部８０に取付けてあり、また、冷却ファン６５は、そのボルト挿通孔部７５に冷却ファン固定用ボルト７０を挿通させ、この冷却ファン固定用ボルト７０に固定用ナット７５を螺合して冷却ファン収容部８０に取付けてある。
【０００９】
このために、冷却ファン６５を冷却ファン収容部８０に組み付け、または分解する際、冷却ファン取付部材固定用ボルト６９に固定用ナット７６を螺合し、または固定用ナット７６を外し、冷却ファン固定用ボルト７０に固定用ナット７７を螺合し、または固定用ナット７７を外さなければならないために、冷却ファン６５の冷却ファン収容部８０への組立及びその分解に時間がかかるばかりか、ねじ部材が多くなって、電子機器の廃棄時に分別し難いという問題点があった。
【００１０】
本発明は、上記の問題点に着目して成されたものであって、その目的とするところは、冷却ファンの筐体本体への組立及びその分解に時間がかかることがなく、電子機器の廃棄時における分別の容易化に寄与することができる電子機器の冷却ファン固定構造を提供することである。
【課題を解決するための手段】
【００１１】
上記した目的を達成するために、本発明に係る電子機器の冷却ファン固定構造は、プリント基板を収容保持した筐体本体に、プリント基板の発熱を冷却するための冷却ファンを冷却ファン固定部材により固定する電子機器の冷却ファン固定構造であって、筐体本体に、この筐体本体の面部を、その構成部位の少なくとも一部とする冷却ファン収容部を設けると共に、冷却ファン固定部材に、その弾性を利用して冷却ファンを冷却ファン収容部内で押え込んで保持固定する弾性保持固定手段と、冷却ファンを位置決めする位置決め手段とを持たせたものである。
【００１２】
かかる構成により、冷却ファンを冷却ファン収容部内に収容して、冷却ファン固定部材は、その弾性保持固定手段により冷却ファンを冷却ファン収容部内で押え込み固定すると共に、位置決め手段で冷却ファンを位置決めすることができる。このために、従来の、冷却ファン取付部材を冷却ファン収容部に取付けるための冷却ファン取付部材固定用ボルトと固定用ナット部材とが不要になり、また、冷却ファンを冷却ファン取付部材に固定するための冷却ファン固定用ねじ部材と固定用ナット部材とが不要となって、冷却ファンの筐体本体への組立及びその分解に時間がかかることがなく、電子機器の廃棄時における分別の容易化に寄与することができる。
【００１３】
また、本発明に係る電子機器の冷却ファン固定構造は、上記した本発明に係る電子機器の冷却ファン固定構造において、筐体本体は、一方のケースと、この一方のケースを覆う他方のケースとで構成してあり、冷却ファン収容部は、一方もしくは他方のケースのいずれかの主面部と、この主面部の周部の周面部と、この周面部の辺縁部に連なり且つ主面部に対向する覆い部と、主面部に設けられた係止部とで構成してあり、冷却ファン固定部材は、冷却ファンの端面部に対応する端面対向部を有しており、弾性保持固定手段は、端面対向部を冷却ファンの高さ方向にく字形状に屈曲して、これらの屈曲部を端面部に当接する当接部にし、端面対向部の冷却ファンの高さ方向の一端部に覆い部に取付けられる取付部を設けると共に、他端部に係止部に係脱可能に係止される係止用突起部を設けて構成してあって、係止用突起部を係止部に係止すると共に、取付部を覆い部に取付けることで、当接部を端面部に押し当てて端面対向部のばね力で冷却ファンを冷却ファン収容部内で押え込み固定するようにしたものである。
【００１４】
かかる構成により、係止用突起部を係止部に係止すると共に、取付部を覆い部に取付けることで、当接部を冷却ファンの端面部に押し当てて、端面対向部のばね力で冷却ファンを冷却ファン収容部内で押え込み固定することができる。
【００１５】
また、本発明に係る電子機器の冷却ファン固定構造は、上記した本発明に係る電子機器の冷却ファン固定構造において、端面対向部は枠形状であって、この端面対向部は冷却ファンの幅方向で互いに対向する一対の幅側部位と端面対向部の冷却ファンの高さ方向で互いに対向する一対の高さ側部位とで構成してあり、一対の幅側部位を、それぞれく字形状に屈曲して、これらの屈曲部を当接部にし、一対の高さ側部位のうちの一方に取付部を設けると共に、他方に係止用突起部を設けるようにしたものである。
【００１６】
かかる構成により、係止用突起部を係止部に係止すると共に、取付部を覆い部に取付けることで、当接部を冷却ファンの端面部に押し当てて、端面対向部の幅側部位のばね力で冷却ファンを冷却ファン収容部内で押え込み固定することができる。
【００１７】
また、本発明に係る電子機器の冷却ファン固定構造は、上記した本発明に係る電子機器の冷却ファン固定構造において、位置決め手段は、一対の幅側部位に設けられた位置決め突起部であり、位置決め突起部を冷却ファンの両側面に当接して冷却ファンの幅方向の位置決めを行うようにしたものである。
【００１８】
かかる構成により、係止用突起部を係止部に係止すると共に、取付部を覆い部に取付けることで、当接部を冷却ファンの端面部に押し当てて、部材本体の幅側部位のばね力で冷却ファンを冷却ファン収容部内で押え込むと共に、位置決め突起部を冷却ファンの両側面に当接して冷却ファンの幅方向の位置決めを行うことができる。
【００１９】
また、本発明に係る電子機器の冷却ファン固定構造は、上記した本発明に係る電子機器の冷却ファン固定構造において、筐体本体は、一方のケースと、この一方のケースを覆う他方のケースとで構成してあり、冷却ファン収容部は、一方もしくは他方のケースのいずれかの主面部と、ケースの角部を形成する一方及び他方の周面部とを有していて、一方の周面部に一方の係止部を、他方の周面部に他方の係止部をそれぞれ設けて構成してあり、冷却ファン取付部材は、冷却ファンの端面部に対応する端面対向部と、この端面対向部の一端側に連なり且つ冷却ファンの側面部に対応する側面対向部とで構成してあり、弾性保持固定手段は、端面対向部を冷却ファンの幅方向にく字形状に屈曲して、この屈曲部を端面部に当接する当接部にし、端面対向部の冷却ファンの幅方向における外縁部に一方の係止部の係脱可能に係止する一方の係止用突起部を形成し、側面対向部の外縁部に他方の係止部の係脱可能に係止する他方の係止突起部が形成して構成してあって、一方の係止突起部を一方の係止部に係止し、他方の係止突起部を他方の係止部に係止した状態で、当接部を端面部に押し当てて端面対向部のばね力で冷却ファンを冷却ファン収容部内で押え込み固定するようにしたものである。
【００２０】
かかる構成により、一方の係止突起部を一方の係止部に係止し、他方の係止突起部を他方の係止部に係止した状態で、当接部を冷却ファンの端面部に押し当てて端面対向部のばね力で冷却ファンを冷却ファン収容部内で押え込み固定することができる。この場合は、上記した取付部を覆い部に取付ける、例えば、ねじ部材が不要になるために、さらに組立、分解が容易になる。
【００２１】
また、本発明に係る電子機器の冷却ファン固定構造は、上記した本発明に係る電子機器の冷却ファン固定構造において、端面対向部は枠形状であって、この端面対向部は冷却ファンの幅方向で互いに対向する一対の幅側部位と冷却ファンの高さ方向で互いに対向する一対の高さ側部位とで構成してあり、一対の高さ側部位をそれぞれく字形状に屈曲して、これらの屈曲部を当接部にしたものである。
【００２２】
かかる構成により、一方の係止突起部を一方の係止部に係止し、他方の係止突起部を他方の係止部に係止した状態で、当接部を冷却ファンの端面部に押し当てて一対の幅側部位のばね力で冷却ファンを冷却ファン収容部内で押え込み固定することができる。
【００２３】
また、本発明に係る電子機器の冷却ファン固定構造は、上記した本発明に係る電子機器の冷却ファン固定構造において、位置決め手段は、端面対向部の冷却ファンの幅方向における外縁部に設けられた位置決め突起部と側面対向部とで構成してあり、位置決め突起部と側面対向部とで冷却ファンを幅方向で挟んで冷却ファンの幅方向の位置決めを行うようにしたものである。
【００２４】
かかる構成により、一方の係止突起部を一方の係止部に係止し、他方の係止突起部を他方の係止部に係止した状態で、当接部を冷却ファンの端面部に押し当てて一対の幅側部位のばね力で冷却ファンを冷却ファン収容部内で押え込み固定すると共に、位置決め突起部と側面対向部とで冷却ファンを幅方向で挟んで冷却ファンの幅方向の位置決めを行うことができる。
【発明の効果】
【００２５】
本発明に係る電子機器の冷却ファン固定構造によれば、冷却ファンを冷却ファン収容部内に収容して、冷却ファン固定部材は、その弾性保持固定手段により冷却ファンを冷却ファン収容部内で押え込み固定すると共に、位置決め手段で冷却ファンを位置決めすることができる。このために、従来の、冷却ファン取付部材を冷却ファン収容部に取付けるための冷却ファン取付部材固定用ボルトと固定用ナット部材とが不要になり、また、冷却ファンを冷却ファン取付部材に固定するための冷却ファン固定用ねじ部材と固定用ナット部材とが不要となって、冷却ファンの筐体本体への組立及びその分解に時間がかかることがなく、電子機器の廃棄時における分別の容易化に寄与することができる。
【発明を実施するための最良の形態】
【００２６】
以下、本発明の実施の形態を説明する。
【００２７】
（実施の形態１）
本発明の冷却ファン固定構造の実施の形態１を図１乃至図３に示す。
【００２８】
図１に本発明の冷却ファン固定構造を備えた電子機器の分解状態の斜視図を示し、図２に同冷却ファン固定構造における冷却ファン固定部材の斜視図を示し、図３に同冷却ファン固定構造の部分詳細図を示す。
【００２９】
電子機器Ａは筐体本体１を備えており、この筐体本体１は、上部ケース（一方のケース）２と、下部ケース（他方のケース）３とにより構成してあり、筐体本体１の内部にはプリント基板４と冷却ファン５とが収容固定してある。
【００３０】
上ケース２は、主面部２ｃと、図１において左、右面部２ａ、２ｂと、前、後面部２ｄ、２ｅとを有しており、左、右面部２ａ、２ｂの後部には上ケース取付用孔６が設けてある。
【００３１】
下ケース３は、その主面部３ｃの後縁部に形成された後面部３ｅと、この後面部３ｅに連なる左、右側部３ａ、３ｂと、冷却ファン収容部７とを有している。左、右側部３ａ、３ｂは図１において後部のみであり、これらの左、右側部３ａ、３ｂにはケース取付用ねじ孔８が設けてある。
【００３２】
また、冷却ファン収容部７は後面部３ｅと左側部３ａとが成す角部に設けてある。すなわち、冷却ファン収容部７は、後面部３ｅと、この後面部３ｅの上縁部に連なり且つ主面部３ｃに平行な覆い部９と、この覆い部９が対向する主面部３ｃと、左側部３ａとで構成してある。そして、後面部３ｅには排気窓１０が形成してあり、覆い部９の前部中央にはねじ挿通孔９ａが設けてある。
【００３３】
また、下ケース３の主面部３ｃには、冷却ファン収容部７の前方に位置させて一対の係止部１１が設けてある。これらの係止部１１は、図３に示すように、主面部３ｃに形成された切り起しで構成してあって、前後方向に抜ける係止孔部１１ａを有している。また、下ケース３の主面部３ｃには基板取付用ボス部１２が複数設けてある。
【００３４】
冷却ファン収容部７には冷却ファン５が収容してあり、この冷却ファン５は冷却ファン取付部材１３により下ケース３に固定してある。
【００３５】
すなわち、冷却ファン取付部材１３は、図２に示すように、冷却ファン５の端面部５ａに対応する端面対向部１３Ａを有しており、この端面対向部１３Ａは枠形状であって、冷却ファン５の幅方向で互いに対向する一対の幅側部位１３ａ、１３ｂと、冷却ファン５の高さ方向で互いに対向する一対の高さ側部位１３ｃ、１３ｄとで構成してある。
【００３６】
幅側部位１３ａ、１３ｂは、それぞれの中央部において側面視でく字形状に屈曲しており、これらの屈曲点が当接部１４にしてある。また、幅側部位１３ａ、１３ｂの外縁部には当接部１４より上方に位置させて舌片状の位置決め突起形成部１５が形成してあり、これらの位置決め突起形成部１５には切起しにより位置決め突起部１６が図２において後方に突出されて形成してある。
【００３７】
また、一方の高さ側部位１３ｃは、幅側部位１３ａ、１３ｂに対して図２において後方にほぼ直角に屈曲してあって、この高さ側部位１３ｃの前縁部の中央には舌片状の取付部１７が形成してあり、この取付部１７にねじ孔１８が設けてある。また、他方の高さ側部位１３ｄは、幅側部位１３ａ、１３ｂに対して図２において前方にほぼ直角に屈曲してあって、この高さ側部位１３ｄの前縁部の左右には舌片状の係止用突起部１９が形成してある。
【００３８】
そして、端面対向部１３Ａが一対の幅側部位１３ａ、１３ｂと一対の高さ側部位１３ｃ、１３ｄとで構成してあり、一対の幅側部位１３ａ、１３ｂを、それぞれく字形状に屈曲して、これらの屈曲部を当接部１４にし、高さ側部位１３ｃに取付部９を設けると共に、高さ側部位１３ｄに係止用突起部１９を設けることで弾性保持固定手段が構成してあり、また、幅側部位１３ａ、１３ｂの外縁部に位置決め突起形成部１５を形成し、これらの位置決め突起形成部１５に位置決め突起部１６を形成することで位置決め手段が構成してある。
【００３９】
そして、図３に示すように、冷却ファン取付部材１３は、その係止用突起部１９を下ケース３の主面部３ｃに設けた係止部１１の係止孔部１１ａに挿入係止した状態で、その当接部１４を冷却ファン５の端面部５ａのほぼ中央部の左右に押し当て冷却ファン取付部材１３の一方の高さ側部位１３ｃを冷却ファン収容部７の覆い部９に下方に押し込んで、この高さ側部位１３ｃに設けた取付部１７のねじ孔１８を覆い部９のねじ挿通孔９ａに合致させ、このねじ挿通孔９ａに固定用ねじ部材２０を挿入してねじ孔１８に螺合することで、冷却ファン取付部材１３は下ケース３に取付けてある。
【００４０】
この場合、冷却ファン取付部材１３の左右の位置決め突起部１６を冷却ファン５の両側面に当接して冷却ファン５の位置決めを行って、この冷却ファン５の左右のずれを防止しており、また、冷却ファン取付部材１３の左右の当接部１４が冷却ファン５の端面部５ａのほぼ中央部の左右に押し当てられて幅側部位１３ａ、１３ｂのばね力で冷却ファン５を押え込んで冷却ファン５の送風口側５ｂを後面部３ｅに押し当てて、冷却ファン５は冷却ファン取付部材１３により保持されている。
【００４１】
そして、下ケース３の主面部３ｃに、複数の基板取付用ボス部１２を用いてプリント基板４をねじ止めし、このプリント基板４に、電源回路用のプリント基板４Ａをスペーサ２２を介して固着すると共に、プリント基板４Ｂをねじ止めして、下ケース３に上ケース２を被せ、上ケース２の左、右面部２ａ、２ｂに設けた上ケース取付用孔６を下ケース３の左、右側部３ａ、３ｂのケース取付用ねじ孔８に合致させ、上ケース取付用孔６にケース固定用ねじ部材２３を挿入してケース取付用ねじ孔８に螺合することで下ケース３に上ケース２が取付けてある。
【００４２】
上記のように、本発明の実施の形態１にあっては、冷却ファン固定部材１３は、冷却ファン５の端面部５ａに対応する端面対向部１３Ａを有しており、端面対向部１３Ａは枠形状であって、一対の幅側部位１３ａ、１３ｂと一対の高さ側部位１３ｃ、１３ｄとで構成してあり、一対の幅側部位１３ａ、１３ｂを、それぞれく字形状に屈曲して、これらの屈曲部を当接部１４にし、高さ側部位１３ｃに取付部９を設けると共に、高さ側部位１３ｄに係止用突起部１９を設けて、係止用突起部１９を係止部１１に係止すると共に、取付部１７を覆い部９に取付けることで、当接部１４を冷却ファン５の端面部５ａに押し当てて一対の幅側部位１３ａ、１３ｂのばね力で冷却ファン５を冷却ファン収容部７内で押え込み固定し、位置決め突起部１６を冷却ファン５の両側面に係合して冷却ファン５の幅方向の位置決めを行うことができる。
【００４３】
このために、従来の、冷却ファン取付部材を冷却ファン収容部に取付けるための冷却ファン取付部材固定用ボルトと固定用ナット部材とが不要になり、また、冷却ファンを冷却ファン収容部に収容固定するための冷却ファン固定用ねじ部材と冷却ファン固定用ナット部材とが不要になって、冷却ファン５の筐体本体１への組立及びその分解に時間がかかることがなく、電子機器の廃棄時における分別の容易化に寄与することができる。
【００４４】
なお、上記した本発明の実施の形態１では、下ケース３に冷却ファン収容部７を設けて、この冷却ファン収容部７に冷却ファン取付部材１３を介して冷却ファン５を収容固定するようにしたが、上ケース２に冷却ファン収容部７を設けて、この冷却ファン収容部７に冷却ファン取付部材１３を介して冷却ファン５を収容固定するようにしてもよい。
【００４５】
（実施の形態２）
本発明の電子機器の冷却ファン固定構造の実施の形態２を図４乃至図６に示す。
【００４６】
図４に本発明の冷却ファン固定構造を備えた電子機器の分解状態の斜視図を示し、図５に同冷却ファン固定構造における冷却ファン固定部材の斜視図を示し、図６に同冷却ファン固定構造の部分詳細図を示す。
【００４７】
本発明の実施の形態２における下ケース３０は、図４において主面部３０ｃの前縁部に形成された前面部３０ｄと、この前面部３０ｄに連なる左、右側面部３０ａ、３０ｂと、後面部３０ｅとを有している。後面部３０ｅは、図４においてその左、右部３０ｅ−１、３０ｅ−２のみであり、これらの左、右部３０ｅ−１、３０ｅ−２にはケース取付用ねじ孔３２が設けてある。
【００４８】
また、冷却ファン収容部３１は右面部３０ｂと後面部３０ｅの右部３０ｅ−２とが成す角部に設けてある。そして、右部３０ｅ−２の内面には、一対の係止部３３が設けてある。この係止部３３は切り起しで形成してあって、係止孔部３３ａを有している。また、後面部３０ｅの右部３０ｅ−２の内面には係止部３４が設けてある。この係止部３４は切り起しで形成してあって、係止孔部３４ａを有している。
【００４９】
冷却ファン収容部３１には冷却ファン３５が収容してあり、この冷却ファン３５は冷却ファン取付部材３６により下ケース３０に固定してある。
【００５０】
冷却ファン取付部材３６は、図４及び図５に示すように、冷却ファン３５の端面部３５ａに対応する端面対向部３７と、この端面対向部３７の一端側に連なり且つ冷却ファン３５の側面部３５ｂに対応する側面対向部３８とで構成してあり、端面対向部３７は枠形状であって、冷却ファン３５の幅方向で互いに対向する一対の幅側部位３７ａ、３７ｂと冷却ファン３５の高さ方向で互いに対向する一対の高さ側部位３７ｃ、３７ｄとで構成してある。
【００５１】
そして、高さ側部位３７ｃ、３７ｄはく字形状に屈曲しており、これらの屈曲点が当接部３７Ａにしてある。また、幅側部位３７ａの外縁部には一対の舌片状の係止突起部（一方の係止突起部）３９が形成してあり、これらの係止突起部３９は高さ側部位３７ｃ、３７ｄに対して直角に屈曲してあって図５において前方に突出している。
【００５２】
また、幅側部位３７ａの外縁部には、その中央部に位置させて舌片状の位置決め突起部４０が形成してあり、この位置決め突起部４０は高さ側部位３７ｃ、３７ｄに対して直角に屈曲してあって、図５において後方に突出している。
【００５３】
また、側面対向部３８の外縁部には、この側面対向部３８に切込みを入れてこの側面対向部３８に対してほぼ直角に捻って形成されたケース当接部４１が設けてあり、このケース当接部４１の外縁部には舌片状の係止突起部（他方の係止突起部）４２が形成してあり、また、ケース当接部４１には一対の突起部４３が図５において後方の突出させた状態で設けてある。
【００５４】
そして、端面対向部３７が一対の幅側部位３７ａ、３７ｂと一対の高さ側部位３７ｃ、３７ｄとで構成してあり、一対の高さ側部位３７ｃ、３７ｄを、それぞれく字形状に屈曲して、これらの屈曲部を当接部３７Ａにし、幅側部位３７ａの外縁部に係止突起部３９を設けると共に、側面対向部３８の外縁部に舌片状の係止突起部４２を設けることで弾性保持固定手段が構成してあり、また、幅側部位３７ａの外縁部に舌片状の位置決め突起部４０を設けて、この位置決め突起部４０と側面対向部３８とで位置決め手段が構成してある。
【００５５】
そして、図６に示すように、冷却ファン取付部材３６は、その一対の係止突起部３９を後面部３０ｅの右部３０ｅ−２に設けた係止部３４の係止孔部３４ａに挿入係止した状態で、その当接部３７Ａを冷却ファン３５の端面部３５ａに押し当ててケース当接部４１の一対の突起部４３を右面部３０ｂに当接させ、係止突起部４２を係止部３３の係止孔部３３ａに挿入係止することで、冷却ファン３５が冷却ファン取付部材３６により下ケース３０に取付けてある。
【００５６】
この場合、冷却ファン取付部材３６の位置決め突起部４０が冷却ファン３５の左側面に当接して、この位置決め突起部４０と側面対向部３８とで冷却ファン３５の位置決めを行って、この冷却ファン３５の左右のずれを防止しており、また、冷却ファン取付部材３６の当接部３７Ａが冷却ファン３５の端面部３５ａに押し当てられて高さ側部位３６ａ、３６ｂのばね力で冷却ファン３５を押え込んでいて、冷却ファン３５は冷却ファン取付部材３１により保持固定されている。
【００５７】
そして、下ケース３０の主面部３０ｃに、複数の基板取付用ボス部４５を用いてプリント基板４６をねじ止めし、このプリント基板４６にプリント基板４６Ａ、４６Ｂをねじ止めし、下ケース３０に上ケース５０を被せ、上ケース５０の後面部５０ｅに設けた上ケース取付用孔５１を下ケース３０の後面部３０ｂのケース取付用ねじ孔３２に合致させ、上ケース取付用孔５１にケース固定用ねじ部材５２を挿入してケース取付用ねじ孔３２に螺合することで下ケース３０に上ケース５０が取付けてある。また、引出し可能なプリント基板５３が下ケース５０の前面部３０ｄに設けた挿入孔５４から筐体本体内に挿入することで、プリント基板４６にコネクタ５５、５６を介して接続するようにしてある。
【００５８】
上記のように、本発明の実施の形態２にあっては、冷却ファン取付部材３６は端面対向部３７と側面対向部３８とで構成してあり、端面対向部３７は枠形状であって、一対の幅側部位３７ａ、３７ｂと一対の高さ側部位３７ｃ、３７ｄとで構成してあり、一対の高さ側部位３７ｃ、３７ｄをそれぞれく字形状に屈曲して、これらの屈曲部を当接部３７Ａにし、幅側部位３７ａの外縁部に一方の係止突起部３９を形成し、側面対向部３８の外縁部に他方の係止突起部４２が形成して、一方の係止突起部３９を一方の係止部３３に係止し、他方の係止突起部４２を他方の係止部３４に係止した状態で、当接部３７Ａを冷却ファン３５の端面部３５ａに押し当てて端面対向部３７の一対の幅側部位３７ａ、３７ｂのばね力で冷却ファン３５を冷却ファン収容部３１内で押え込み固定し、位置決め突起部４０と側面対向部３８とで冷却ファン３５を幅方向で挟んで冷却ファン３５の幅方向の位置決めを行うことができる。
【００５９】
このために、従来の、冷却ファン取付部材を冷却ファン収容部に取付けるための冷却ファン取付部材固定用ボルトと固定用ナット部材とが不要になり、また、冷却ファンを冷却ファン収容部に収容固定するための冷却ファン固定用ねじ部材と冷却ファン固定用ナット部材とが不要になって、冷却ファン３５の筐体本体への組立及びその分解に時間がかかることがなく、電子機器の廃棄時における分別の容易化に寄与することができる。
【００６０】
なお、上記した本発明の実施の形態２では、下ケース３０に冷却ファン収容部３１を設けて、この冷却ファン収容部３１に冷却ファン取付部材３６を介して冷却ファン３５を収容固定するようにしたが、上ケース５０に冷却ファン収容部３１を設けて、この冷却ファン収容部３１に冷却ファン取付部材３６を介して冷却ファン３５を収容固定するようにしてもよい。
【産業上の利用可能性】
【００６１】
本発明に係る電子機器の冷却ファン固定構造は、従来の、冷却ファン取付部材を冷却ファン収容部に取付けるための冷却ファン取付部材固定用ボルトと固定用ナット部材とが不要になり、また、冷却ファンを冷却ファン取付部材に固定するための冷却ファン固定用ねじ部材と固定用ナット部材とが不要となって、冷却ファンの筐体本体への組立及びその分解に時間がかかることがなく、電子機器の廃棄時における分別の容易化に寄与することができるという効果を有し、ＶＯＩＰのゲートウェイ等のボイスオーバーインターネット・プロトコル等の実施を行う電子機器の冷却ファン固定構造等として有用である。
【図面の簡単な説明】
【００６２】
【図１】本発明に係る冷却ファン固定構造（実施の形態１）を備えた電子機器の分解状態の斜視図である。
【図２】同冷却ファン固定構造における冷却ファン固定部材の斜視図である。
【図３】同冷却ファン固定構造の部分詳細図である。
【図４】本発明に係る冷却ファン固定構造（実施の形態２）を備えた電子機器の分解状態の斜視図である。
【図５】同冷却ファン固定構造における冷却ファン固定部材の斜視図である。
【図６】同冷却ファン固定構造の部分詳細図である。
【図７】従来の冷却ファン固定構造を備えた電子機器の斜視図である。
【図８】同電子機器の分解斜視図である。
【図９】同電子機器における冷却ファン固定構造の部分詳細分解図である。
【符号の説明】
【００６３】
Ａ      電子機器
１      筐体本体
２      上部ケース（一方のケース）
３      下部ケース（他方のケース）
４      プリント基板
５      冷却ファン
７      冷却ファン収容部
９      覆い部
１１    係止部
１３    冷却ファン取付部材
１３Ａ  端面対向部
１３ａ  幅側部位（弾性保持固定手段）
１３ｂ  幅側部位（弾性保持固定手段）
１３ｃ  高さ側部位
１３ｄ  高さ側部位
１４    当接部（弾性保持固定手段）
１６    位置決め突起部（位置決め手段）
１７    取付部（弾性保持固定手段）
１９    係止用突起部（弾性保持固定手段）
３０    下ケース
３１    冷却ファン収容部
３３    係止部
３４    係止部
３５    冷却ファン
３５ａ  端面部
３５ｂ  側面部
３６    冷却ファン取付部材
３７    端面対向部
３７ａ  幅側部位（弾性保持固定手段）
３７ｂ  幅側部位（弾性保持固定手段）
３７ｃ  高さ側部位
３７ｄ  高さ側部位
３７Ａ  当接部（弾性保持固定手段）
３８    側面対向部（位置決め手段）
３９    係止突起部（一方の係止突起部）
４０    位置決め突起部（位置決め手段）
４２    係止突起部（他方の係止突起部）
【図１】
2005217343.tif 000003
【図２】
2005217343.tif 000004
【図３】
2005217343.tif 000005
【図４】
2005217343.tif 000006
【図５】
2005217343.tif 000007
【図６】
2005217343.tif 000008
【図７】
2005217343.tif 000009
【図８】
2005217343.tif 000010
【図９】
2005217343.tif 000011